(57)【要約】      （修正有）【課題】無線通信ネットワークにおいてグラントチャネルを監視する技術を提供する。【解決手段】ユーザ装置（ＵＥ）は、監視条件が満たされるかどうかを判断し、監視条件が満たされる場合は無線リソースのグラントを求めて少なくとも１つのグラントチャネルを監視し、監視条件が満たされない場合は少なくとも１つのグラントチャネルを監視することをやめる。【選択図】図４
2014039290.tif 000002
【特許請求の範囲】
【請求項１】
監視条件が満たされるかどうかを判断し、前記監視条件が満たされる場合は無線リソースのグラントを求めて少なくとも１つのグラントチャネルを監視し、前記監視条件が満たされない場合は前記少なくとも１つのグラントチャネルを監視することをやめる少なくとも１つのプロセッサと、
前記少なくとも１つのプロセッサに結合されたメモリと、
を備える装置。
【請求項２】
前記少なくとも１つのプロセッサが、送信するデータがあることを示すスケジューリング情報を送信した後に、前記少なくとも１つのグラントチャネルを監視する請求項１に記載の装置。
【請求項３】
前記少なくとも１つのプロセッサが、未処理の無線リソースのグラントがある場合に、前記少なくとも１つのグラントチャネルを監視する請求項１に記載の装置。
【請求項４】
前記少なくとも１つのプロセッサが、無線リソースのグラントが求められる場合に、前記少なくとも１つのグラントチャネルを監視する請求項１に記載の装置。
【請求項５】
前記少なくとも１つのプロセッサが、少なくとも１つのスケジュールされたフローがあって、前記少なくとも１つのスケジュールされたフローのデータバッファが空ではない場合に、前記少なくとも１つのグラントチャネルを監視する請求項１に記載の装置。
【請求項６】
前記少なくとも１つのプロセッサが、未処理の無線リソースのグラントがあって、前記未処理の無線リソースのグラントを使用してデータ伝送が行われた場合に、前記少なくとも１つのグラントチャネルを監視する請求項１に記載の装置。
【請求項７】
前記少なくとも１つのプロセッサが、少なくとも１つの他の監視すべき制御チャネルがある場合に、前記少なくとも１つのグラントチャネルを監視する請求項１に記載の装置。
【請求項８】
前記少なくとも１つのプロセッサが、前記監視条件が満たされている間、前記少なくとも１つのグラントチャネルを継続的に監視する請求項１に記載の装置。
【請求項９】
前記少なくとも１つのプロセッサが、前記監視条件が満たされて、間欠受信（ＤＲＸ）が可能である場合に、指定された時間間隔の間に前記少なくとも１つのグラントチャネルを監視する請求項１に記載の装置。
【請求項１０】
前記少なくとも１つのプロセッサが、未処理の無線リソースのグラントがないとき、前記少なくとも１つのグラントチャネルを監視することをやめる請求項１に記載の装置。
【請求項１１】
前記少なくとも１つのプロセッサが、未処理の無線リソースのグラントがない場合に、および送信するデータがない場合に、前記少なくとも１つのグラントチャネルを監視することをやめる請求項１に記載の装置。
【請求項１２】
前記少なくとも１つのプロセッサが、スケジュールされたフローがない場合に、またはスケジュールされたフロー用の送信するデータがない場合に、前記少なくとも１つのグラントチャネルを監視することをやめる請求項１に記載の装置。
【請求項１３】
前記少なくとも１つのプロセッサが、前記監視条件が満たされて、未処理の無線リソースのグラントがない場合に、サービングセルの前記少なくとも１つのグラントチャネルを監視する請求項１に記載の装置。
【請求項１４】
前記少なくとも１つのプロセッサが、前記監視条件が満たされる場合に、サービング無線リンクセット（ＲＬＳ）にある少なくとも１つのセルの前記少なくとも１つのグラントチャネルを監視する請求項１に記載の装置。
【請求項１５】
前記少なくとも１つのグラントチャネルが、Ｅ−ＤＣＨ絶対グラントチャネル（Ｅ−ＡＧＣＨ）と、Ｅ−ＤＣＨ相対グラントチャネル（Ｅ−ＲＧＣＨ）とを備える請求項１に記載の装置。
【請求項１６】
監視条件が満たされるかどうかを判断することと、
前記監視条件が満たされる場合、無線リソースのグラントを求めて少なくとも１つのグラントチャネルを監視することと、
前記監視条件が満たされない場合、前記少なくとも１つのグラントチャネルを監視することをやめることと、
を備える方法。
【請求項１７】
前記少なくとも１つのグラントチャネルを前記監視することが、少なくとも１つのスケジュールされたフローがあって、前記少なくとも１つのスケジュールされたフローのデータバッファが空ではない場合に、前記少なくとも１つのグラントチャネルを監視することを備える請求項１６に記載の方法。
【請求項１８】
前記少なくとも１つのグラントチャネルを前記監視することが、未処理の無線リソースのグラントがあって、前記未処理の無線リソースのグラントを使用してデータ伝送が行われた場合に、前記少なくとも１つのグラントチャネルを監視することを備える請求項１６に記載の方法。
【請求項１９】
前記少なくとも１つのグラントチャネルを前記監視することが、少なくとも１つの他の監視すべき制御チャネルがある場合に、前記少なくとも１つのグラントチャネルを監視することを備える請求項１６に記載の方法。
【請求項２０】
前記少なくとも１つのグラントチャネルを前記監視することが、前記監視条件が満たされて、間欠受信（ＤＲＸ）が可能である場合に、指定された時間間隔の間に前記少なくとも１つのグラントチャネルを監視することを備える請求項１６に記載の方法。
【請求項２１】
監視条件が満たされるかどうかを判断するための手段と、
前記監視条件が満たされる場合、無線リソースのグラントを求めて少なくとも１つのグラントチャネルを監視するための手段と、
前記監視条件が満たされない場合、前記少なくとも１つのグラントチャネルを監視することをやめるための手段と、
を備える装置。
【請求項２２】
前記少なくとも１つのグラントチャネルを監視するための前記手段が、少なくとも１つのスケジュールされたフローがあって、前記少なくとも１つのスケジュールされたフローのデータバッファが空ではない場合に、前記少なくとも１つのグラントチャネルを監視するための手段を備える請求項２１に記載の装置。
【請求項２３】
前記少なくとも１つのグラントチャネルを監視するための前記手段が、未処理の無線リソースのグラントがあって、前記未処理の無線リソースのグラントを使用してデータ伝送が行われた場合に、前記少なくとも１つのグラントチャネルを監視するための手段を備える請求項２１に記載の装置。
【請求項２４】
前記少なくとも１つのグラントチャネルを監視するための前記手段が、少なくとも１つの他の監視すべき制御チャネルがある場合に、前記少なくとも１つのグラントチャネルを監視するための手段を備える請求項２１に記載の装置。
【請求項２５】
前記少なくとも１つのグラントチャネルを監視するための前記手段が、前記監視条件が満たされて、間欠受信（ＤＲＸ）が可能である場合に、指定された時間間隔の間に前記少なくとも１つのグラントチャネルを監視するための手段を備える請求項２１に記載の装置。
【請求項２６】
監視条件が満たされるかどうかをコンピュータに判断させるコードと、
前記監視条件が満たされる場合、前記コンピュータに無線リソースのグラントを求めて少なくとも１つのグラントチャネルを監視させるコードと、
前記監視条件が満たされない場合、前記コンピュータに前記少なくとも１つのグラントチャネルを監視することをやめさせるコードと、
を備えるコンピュータ可読媒体
を備えるコンピュータプログラム製品。
【請求項２７】
さらに前記コンピュータ可読媒体が、
少なくとも１つのスケジュールされたフローがあって、前記少なくとも１つのスケジュールされたフローのデータバッファが空ではない場合に、前記コンピュータに前記少なくとも１つのグラントチャネルを監視させるコードを備える請求項２６に記載のコンピュータプログラム製品。
【請求項２８】
さらに前記コンピュータ可読媒体が、
未処理の無線リソースのグラントがあって、前記未処理の無線リソースのグラントを使用してデータ伝送が行われた場合に、前記コンピュータに前記少なくとも１つのグラントチャネルを監視させるコードを備える請求項２６に記載のコンピュータプログラム製品。
【請求項２９】
さらに前記コンピュータ可読媒体が、
少なくとも１つの他の監視すべき制御チャネルがある場合に、前記コンピュータに前記少なくとも１つのグラントチャネルを監視させるコードを備える請求項２６に記載のコンピュータプログラム製品。
【請求項３０】
前記コンピュータ可読媒体がさらに、
前記監視条件が満たされて、間欠受信（ＤＲＸ）が可能である場合に、前記コンピュータに指定された時間間隔の間に前記少なくとも１つのグラントチャネルを監視させるコードを備える請求項２６に記載のコンピュータプログラム製品。
【請求項３１】
間欠受信（ＤＲＸ）が可能であることを判断し、ＤＲＸが可能であるとき、少なくとも１つの媒体アクセス制御（ＭＡＣ）−ｄフローがスケジュールされた伝送で構成され、全Ｅ−ＤＣＨのバッファ状態（ＴＥＢＳ）がゼロより大きい場合に、Ｅ−ＤＣＨ絶対グラントチャネル（Ｅ−ＡＧＣＨ）およびＥ−ＤＣＨ相対グラントチャネル（Ｅ−ＲＧＣＨ）のダウンリンク受信を実行する少なくとも１つのプロセッサと、
前記少なくとも１つのプロセッサに結合されたメモリと、
を備える装置。
【請求項３２】
ＤＲＸが可能であるとき、前記少なくとも１つのプロセッサが、未処理の無線リソースのグラントがあって、前記未処理の無線リソースのグラントを使用してデータ伝送が行われた場合に、前記Ｅ−ＡＧＣＨおよびＥ−ＲＧＣＨのダウンリンク受信を実行する請求項３１に記載の装置。
【請求項３３】
ＤＲＸが可能であるとき、前記少なくとも１つのプロセッサが、少なくとも１つの他の監視すべき制御チャネルがあると、前記Ｅ−ＡＧＣＨおよびＥ−ＲＧＣＨのダウンリンク受信を実行する請求項３１に記載の装置。
【請求項３４】
ＤＲＸが可能であるとき、前記少なくとも１つのプロセッサが、ＨＳ−ＳＣＣＨの受信パターンによって示される受信サブフレームの間に前記Ｅ−ＡＧＣＨおよびＥ−ＲＧＣＨのダウンリンク受信を実行する請求項３１に記載の装置。
【請求項３５】
間欠受信（ＤＲＸ）が可能であると判断することと、
ＤＲＸが可能であるとき、少なくとも１つの媒体アクセス制御（ＭＡＣ）−ｄフローが、スケジュールされた伝送で構成されて、全Ｅ−ＤＣＨのバッファ状態（ＴＥＢＳ）がゼロより大きい場合に、Ｅ−ＤＣＨ絶対グラントチャネル（Ｅ−ＡＧＣＨ）およびＥ−ＤＣＨ相対グラントチャネル（Ｅ−ＲＧＣＨ）のダウンリンク受信を実行することと、
を備える方法。
【請求項３６】
前記ダウンリンク受信を実行することが、未処理の無線リソースのグラントがあって、前記未処理の無線リソースのグラントを使用してデータ伝送が行われた場合に、前記Ｅ−ＡＧＣＨおよびＥ−ＲＧＣＨのダウンリンク受信を実行することを備える請求項３５に記載の方法。
【請求項３７】
前記ダウンリンク受信を実行することが、少なくとも１つの他の監視すべき制御チャネルがあると、前記Ｅ−ＡＧＣＨおよびＥ−ＲＧＣＨのダウンリンク受信を実行することを備える請求項３５に記載の方法。
【請求項３８】
前記ダウンリンク受信を実行することが、ＨＳ−ＳＣＣＨの受信パターンによって示される受信サブフレームの間に前記Ｅ−ＡＧＣＨおよびＥ−ＲＧＣＨのダウンリンク受信を実行することを備える請求項３５に記載の方法。
【発明の詳細な説明】
【技術分野】
【０００１】
３５Ｕ．Ｓ．Ｃ．§１１９に基づく優先権の主張
本特許出願は、いずれも本譲受人に委譲され、参照により本明細書に明示的に組み込まれている２００６年８月２２日に出願された「MONITORING OF GRANT CHANNELS FOR WIRELESS COMMUNICATION」という名称の仮特許出願第６０／８３９，５１４号、および２００６年１０月３日に出願された「METHOD AND APPARATUS FOR CHANNEL MONITORING IN WIRELESS COMMUNICATIONS」という名称の仮特許出願第６０／８４９，１９８号に基づく優先権を主張する。
【０００２】
本開示は、概して通信に関し、より詳細には無線通信ネットワークにおけるチャネル監視の技術に関する。
【背景技術】
【０００３】
無線通信ネットワークは、音声、映像、パケットデータ、メッセージング、ブロードキャストなどの様々な通信サービスを提供するために、広範囲に採用されている。これらのネットワークは、利用可能なネットワークリソースを共有することによって、多数のユーザをサポートすることが可能な多元接続ネットワークであることがある。このような多元接続ネットワークの例には、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワークおよびシングルキャリアＦＤＭＡ（ＳＣ−ＦＤＭＡ）ネットワークがある。
【０００４】
無線ネットワークは、送信するデータがあるときユーザ装置（ＵＥ）がリソースを要求することがあり、制御チャネルを介してリソースのグラントを受信することがあるリソース割当て方式を利用することがある。ＵＥは、ＵＥに送信されるいかなるリソースのグラントをも見落とすことがないように、制御チャネルを常に監視するよう求められることがある。このような継続的な制御チャネルの監視は、電池残量を消費することがあり、待機時間および通話時間を短くすることがあり、これらはみな望ましくない。
【発明の概要】
【０００５】
本明細書に、無線通信ネットワークにおいてグラントチャネルを効率的に監視する技術について記載する。グラントチャネルは、ユニバーサル移動体通信システム（ＵＭＴＳ）において高速アップリンクパケットアクセス（ＨＳＵＰＡ）に使用されるＥ−ＤＣＨ絶対グラントチャネル（Ｅ−ＡＧＣＨ）およびＥ−ＤＣＨ相対グラントチャネル（Ｅ−ＲＧＣＨ）、または他の無線ネットワークにおいては何らかの他のグラントチャネルを備えることがある。
【０００６】
１つの設計では、ＵＥは、監視条件が満たされるかどうかを判断することがある。監視条件が満たされる場合、ＵＥは、無線リソースのグラントを求めて少なくとも１つのグラントチャネルを監視することがある。監視条件が満たされない場合、ＵＥは、少なくとも１つのグラントチャネルを監視することをやめることがある。ＵＥは、（ｉ）アップリンクで送信するデータがあることを示すスケジューリング情報を送信した後、（ｉｉ）アップリンクに未処理の無線リソースのグラントがある場合、（ｉｉｉ）無線リソースのグラントが求められる場合、（ｉｖ）少なくとも１つのスケジュールされたフローがあって、このスケジュールされたフローのデータバッファが空ではない場合、（ｖ）未処理の無線リソースのグラントがあって、この無線リソースのグラントを利用してデータ伝送が行われた場合、（ｖｉ）少なくとも１つの他の監視すべき制御チャネルがある場合、および／または（ｖｉｉ）他の基準に基づいて、監視条件が満たされると判断することがあり、少なくとも１つのグラントチャネルを監視することがある。
【０００７】
別の設計では、間欠受信（ＤＲＸ）が可能であるとき、ＵＥは、少なくとも１つのＭＡＣ−ｄフローがスケジュールされた伝送で構成されて、データバッファが空ではない場合、Ｅ−ＡＧＣＨおよびＥ−ＲＧＣＨのダウンリンク受信を実行することがある。またＵＥは、（ｉ）未処理の無線リソースのグラントがあって、この未処理の無線リソースのグラントを利用してデータ伝送が行われた場合、（ｉｉ）少なくとも１つの他の監視すべき制御チャネルがある場合、および／または（ｉｉｉ）他の基準に基づいて、Ｅ−ＡＧＣＨおよびＥ−ＲＧＣＨのダウンリンク受信を実行することがある。
【０００８】
本開示の様々な態様および特徴について、以下にさらに詳細に説明する。
【図面の簡単な説明】
【０００９】
【図１】図１は、無線通信ネットワークを示す。
【図２】図２は、データおよびシグナリングの伝送のためのレイヤ構造を示す。
【図３】図３は、ＨＳＤＰＡおよびＨＳＵＰＡに使用される物理チャネルを示す。
【図４】図４は、アップリンクのデータ伝送のグラントチャネルを監視することを示す。
【図５】図５は、グラントチャネルを監視する処理を示す。
【図６】図６は、グラントチャネルを監視する別の処理を示す。
【図７】図７は、ＵＥ、ノードＢ、およびアクセスゲートウェイのブロック図を示す。
【詳細な説明】
【００１０】
本明細書に記載するチャネル監視技術は、ＣＤＭＡ、ＴＤＭＡ、ＦＤＭＡ、ＯＦＤＭＡ、およびＳＣＦＤＭＡのネットワークなど、様々な無線通信ネットワークで使用されることがある。「ネットワーク」および「システム」という用語は、同義的に用いられることが多い。ＣＤＭＡネットワークは、ユニバーサル地上無線アクセス（ＵＴＲＡ）、ｃｄｍａ２０００などの無線技術を実行することがある。ＵＴＲＡは、広帯域ＣＤＭＡ（Ｗ−ＣＤＭＡ）、ローチップレート（ＬＣＲ）などを含む。ｃｄｍａ２０００は、ＩＳ−２０００、ＩＳ−９５、およびＩＳ−８５６規格を含む。ＴＤＭＡネットワークは、移動体通信用グローバルシステム（Global System for Mobile Communications、ＧＳＭ（登録商標））などの無線技術を実行することがある。ＯＦＤＭＡネットワークは、発展型ＵＴＲＡ（Evolved UTRA、Ｅ−ＵＴＲＡ）、ウルトラモバイルブロードバンド（Ultra Mobile Broadband、ＵＭＢ）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、Ｆｌａｓｈ−ＯＦＤＭ（登録商標）などの無線技術を実行することがある。これらの様々な無線技術および規格は、当技術分野において知られている。ＵＴＲＡ、ＥＵＴＲＡおよびＧＳＭは、「第三世代パートナーシッププロジェクト」（３ＧＰＰ）と名付けられた団体からの文書に記載されている。ｃｄｍａ２０００は、「第三世代パートナーシップ２」（３ＧＰＰ２）と名付けられた団体からの文書に記載されている。３ＧＰＰおよび３ＧＰＰ２の文書は、公に入手可能である。明確にするために、この技術のいくつかの態様は、Ｗ−ＣＤＭＡを利用するＵＭＴＳネットワークに関して以下に説明され、以下の説明の大部分で３ＧＰＰの用語を使用する。
【００１１】
図１は、無線通信ネットワーク１００を示しており、これはＵＭＴＳネットワークとすることがある。無線ネットワーク１００は、３ＧＰＰにおいてユニバーサル地上無線アクセスネットワーク（Universal Terrestrial Radio Access Network、ＵＴＲＡＮ）と呼ばれることもある。無線ネットワーク１００は、いかなる数のＵＥの通信もサポートするいかなる数のノードＢも含むことがある。簡潔にするために、単に３つのノードＢ１１０ａ、１１０ｂならびに１１０ｃおよび１つのＵＥ１２０のみが図１に示されている。
【００１２】
ノードＢは、一般にＵＥと通信する固定局であり、進化型ノードＢ（evolved Node B、ｅＮｏｄｅ  Ｂ）、基地局、アクセスポイントなどと呼ばれることもある。各ノードＢは、特定の地理エリアに通信カバレッジを提供し、カバレッジエリア内に位置するＵＥの通信をサポートする。ノードＢのカバレッジエリアは、複数（例えば３つ）のより小さいエリアに分割されることがあり、より小さい各エリアは、それぞれのノードＢのサブシステムによってサービスされることがある。「セル」という用語は、用語が使用される状況に応じて、ノードＢの最小カバレッジエリアおよび／またはこのカバレッジエリアをサービスしているサブシステムを指すことができる。図１に示した例では、ノードＢ１１０ａはセルＡ１、Ａ２、およびＡ３をサービスし、ノードＢ１１０ｂはセルＢ１、Ｂ２、およびＢ３をサービスし、ノードＢ１１０ｃはセルＣ１、Ｃ２、およびＣ３をサービスする。ノードＢは、同期してまたは非同期で稼動されることがある。同期ネットワークについては、ノードＢのタイミングは、例えばＧＰＳ時刻などの基準時間に合わされることがある。しかし非同期ネットワークについては、各ノードＢのセルのタイミングを合わせることはできるが、異なるノードＢのタイミングを合わせることはできない。
【００１３】
一般に、いかなる数のＵＥも、無線ネットワークの全体にわたって分散されることがあり、各ＵＥは固定型または移動型とすることがある。ＵＥ１２０は、移動局、端末、アクセス端末、加入者装置、局などと呼ばれることもある。ＵＥ１２０は、携帯電話、携帯情報端末（ＰＤＡ）、無線装置、ハンドヘルド装置、無線モデム、モデムカード、ラップトップコンピュータなどとすることがある。ＵＥ１１０は、いかなる所与の瞬間にもダウンリンクおよびアップリンクにおいてゼロ以上のノードＢと通信することがある。ダウンリンク（または順方向リンク）は、ノードＢからＵＥへの通信リンクを指し、アップリンク（または逆方向リンク）は、ＵＥからノードＢへの通信リンクを指す。
【００１４】
無線ネットワーク１００は、３ＧＰＰで説明されているもののような他のネットワークエンティティを含むことがある。アクセスゲートウェイ１３０は、ノードＢにつながって、これらのノードＢのための調整および制御を行うことができる。アクセスゲートウェイ１３０はまた、例えばパケットデータ、Ｖｏｉｃｅ−ｏｖｅｒ−ＩＰ（ＶｏＩＰ）、ビデオ、メッセージング、および／または他のサービスなど、ＵＥのための通信サービスをサポートすることがある。アクセスゲートウェイ１３０は、単一のネットワークエンティティまたはネットワークエンティティの一群とすることがある。例えば、アクセスゲートウェイ１３０は、当技術分野で知られている１つまたは複数の無線ネットワーク制御装置（ＲＮＣ）、サービングＧＰＲＳサポートノード（ＳＧＳＮ）、ゲートウェイＧＰＲＳサポートノード（ＧＧＳＮ）を備えることがある。アクセスゲートウェイ１３０は、パケットルーティング、ユーザ登録、移動度管理などの様々な機能をサポートしているネットワークエンティティを含むことができるコアネットワークにつながることがある。
【００１５】
３ＧＰＰリリース５および以降は、高速ダウンリンクパケットアクセス（ＨＳＤＰＡ）をサポートしている。３ＧＰＰリリース６および以降は、高速アップリンクパケットアクセス（ＨＳＵＰＡ）をサポートしている。ＨＳＤＰＡおよびＨＳＵＰＡは、それぞれダウンリンクおよびアップリンクで高速パケットデータ伝送を可能にする一連のチャネルおよび手順である。
【００１６】
図２は、３ＧＰＰリリース６用のレイヤ構造２００を示している。レイヤ構造２００は、無線リソース制御（ＲＲＣ）レイヤ２１０、無線リンク制御（ＲＬＣ）レイヤ２２０、媒体アクセス制御（ＭＡＣ）レイヤ２３０および物理（ＰＨＹ）レイヤ２４０を含む。ＲＲＣレイヤは、呼の確立、維持、終了のための様々な機能を実行する。ＲＬＣレイヤは、トランスペアレントなデータ転送、非送達確認型のデータ転送、送達確認型のデータ転送、上位レイヤで定義されるサービス品質（ＱｏＳ）の維持、および回復不能エラーの通知など、上位レイヤへの様々なサービスを提供する。ＲＬＣレイヤは、例えばＵＥ１２０とネットワークとの間でトラヒックデータおよびシグナリングを転送するための個別通信チャネル（ＤＴＣＨ）および個別制御チャネル（ＤＣＣＨ）などの論理チャネルでデータを処理し、提供する。
【００１７】
ＭＡＣレイヤは、データ転送、無線リソースおよびＭＡＣパラメータの再割当て、ならびに測定の報告など、上位レイヤに様々なサービスを提供する。ＭＡＣレイヤは、ＭＡＣ−ｄ、ＭＡＣ−ｈｓ、およびＭＡＣ−ｅｓなど、様々なエンティティを含む。他のＭＡＣエンティティは、３ＧＰＰリリース６に存在するが、簡潔にするために図２には示していない。ＭＡＣ−ｄエンティティは、トランスポートチャネルのタイプの切替え、トランスポートチャネルへの論理チャネルの多重化（Ｃ／Ｔ  ＭＵＸ）、暗号化、解読、およびアップリンクのトランスポートフォーマットコンビネーション（ＴＦＣ）の選択などの機能を提供する。ＭＡＣ−ｈｓは、ＨＳＤＰＡをサポートし、伝送および再伝送（ＨＡＲＱ）、並べ替え、ならびに分解などの機能を実行する。ＭＡＣ−ｅｓは、ＨＳＵＰＡをサポートし、ＨＡＲＱ、多重化、および進化型ＴＦＣ（evolved TFC、Ｅ−ＴＦＣ）の選択などの機能を実行する。ＭＡＣレイヤは、例えば個別チャネル（ＤＣＨ）、エンハンスト個別チャネル（Ｅ−ＤＣＨ）および高速ダウンリンク共有チャネル（ＨＳ−ＤＳＣＨ）などのトランスポートチャネルのデータを処理し、提供する。
【００１８】
物理レイヤは、ＭＡＣレイヤにはデータを、高位レイヤにはシグナリングを伝送するメカニズムを提供する。図２の様々なレイヤは、公に入手可能である、２００７年６月の「Radio Interface Protocol Architecture」という名称の３ＧＰＰ  ＴＳ  ２５．３０１、および２００７年６月の「Medium Access Control (MAC) protocol specification」という名称の３ＧＰＰ  ＴＳ  ２５．３２１に詳細に記載されている。
【００１９】
図２に示すように、ＵＥ１２０用のデータは、ＲＬＣレイヤで１つまたは複数の論理チャネルとして処理されることがある。論理チャネルは、ＭＡＣレイヤでＭＡＣ−ｄフローにマップされることがある。ＭＡＣ−ｄフローは、ＱｏＳフローと呼ばれることもあり、１つまたは複数のトランスポートチャネルに多重化されることがある。トランスポートチャネルは、例えば、音声、映像、パケットデータなど、１つまたは複数のサービスのためにデータを搬送することがある。トランスポートチャネルは、物理レイヤで物理チャネルにマップされる。物理チャネルは、異なるチャネラ化コード（channelization codes）でチャネル化され、コードドメインで互いに直交している。
【００２０】
表１は、ＨＳＤＰＡおよびＨＳＵＰＡの物理チャネルを含む３ＧＰＰリリース６のいくつかの物理チャネルをリストアップしている。
【表１】
2014039290.tif 000003
【００２１】
ＨＳＵＰＡについては、Ｅ−ＤＰＤＣＨは、Ｅ−ＤＣＨトランスポートチャネルを搬送するために使用される物理チャネルである。ＵＥとセルとの間のリンクには、ゼロ、１つ、またはいくつかのＥ−ＤＰＤＣＨがある場合がある。Ｅ−ＤＰＣＣＨは、Ｅ−ＤＣＨと関連する制御情報を送信するために使用される物理チャネルである。リンクには、最大１つのＥ−ＤＰＣＣＨがある。Ｅ−ＤＰＣＣＨおよびＥ−ＤＰＤＣＨは、それぞれＨＳＵＰＡにおける高速データ用の制御チャネルおよびデータチャネルである。Ｅ−ＨＩＣＨは、Ｅ−ＤＰＤＣＨで送信されるパケットの肯定応答（ＡＣＫ）および否定応答（ＮＡＫ）を搬送する、固定レートの個別ダウンリンク物理チャネルである。
【００２２】
Ｅ−ＡＧＣＨおよびＥ−ＲＧＣＨは、ＨＳＵＰＡにおいてリソース制御に使用されるグラントチャネルであって、Ｅ−ＤＣＨ制御チャネルとも呼ばれる。Ｅ−ＡＧＣＨは、Ｅ−ＤＰＤＣＨの絶対グラントを搬送する固定レートのダウンリンク物理チャネルである。ＨＳＵＰＡについては、Ｅ−ＤＰＤＣＨは前もって構成され、絶対グラントは、ＵＥがＥ−ＤＰＤＣＨに使用することができる送信電力量を示す。グラントは、変更されるまたは取り消されるまで不定の期間の間有効である。Ｅ−ＲＧＣＨは、Ｅ−ＤＰＤＣＨの相対グラントを搬送する固定レートのダウンリンク物理チャネルである。相対グラントは、例えば現在のグラントをある量だけ増大させるまたは減少させるなど、現在のグラントからの変化を示す。一般に、グラントチャネルは、リンクの無線リソースのグラントを伝達するために使用されるチャネルである。無線リソースは、時間、周波数、符号、送信電力、その他、もしくはその組み合わせによって、量を表すことができる。ＵＥのための無線リソースのグラントは、スケジューリンググラントまたはリソースグラントと呼ばれることもある。グラントは、ゼロまたはゼロ以外である場合がある。
【００２３】
ＨＳＵＰＡについては、ＵＥは、サービングＥ−ＤＣＨの無線リンクセットを有することがあり、これはサービングＲＬＳと呼ばれることがある。サービングＲＬＳは、ＨＳＵＰＡについてＵＥのサービングセルと、場合によりＵＥがそこから相対グラントを受信して併用することができる付加的セルを含むことがある。サービングＲＬＳのセルは、単一のノードＢからのものである。例えば、図１では、ＵＥのサービングＲＬＳは、サービングセルＡ２と付加的セルＡ３とを含むことがある。サービングＲＬＳにないセルには、セルＢ３、Ｃ１などが含まれる。
【００２４】
ＵＥは、Ｅ−ＡＧＣＨを介してサービングセルから絶対グラントを受信することができる。ＵＥは、Ｅ−ＲＧＣＨを介してサービングＲＬＳにあるセルから現在のグラントを増大させる、維持する、または減少させる相対グラントを受信することがある。ＵＥは、Ｅ−ＲＧＣＨを介してサービングＲＬＳにないセルから現在のグラントを増大させる、維持する、または減少させる相対グラントを受信することがある。サービングＲＬＳにあるセルからの相対グラントおよびＥ−ＲＧＣＨは、それぞれサービング相対グラントおよびサービングＥ−ＲＧＣＨと呼ばれることがある。サービングＲＬＳにないセルからの相対グラントおよびＥ−ＲＧＣＨは、それぞれ非サービング相対グラントおよび非サービングＥ−ＲＧＣＨと呼ばれることがある。サービングＲＬＳにあるセルは、同じサービング相対グラントを送信し、ＵＥは、これらの相対グラントをソフト結合（soft-combine）することがある。サービングＲＬＳにないセルは、これらのセルに過負荷状態が発生しないようにするためにアップリンクのインタフェース制御のために非サービング相対グラントを送信するこがある。非サービング相対グラントは、サービング相対グラントとは異なるものとすることがある。
【００２５】
図３は、ＨＳＤＰＡおよびＨＳＵＰＡに使用される物理チャネルを示している。ＵＭＴＳでは、伝送タイムラインはフレームに分割され、各フレームはシステムフレーム番号（ＳＦＮ）で識別されるようになっている。各フレームは、１０ミリ秒（ｍｓ）の継続時間を有し、５つのサブフレーム０から４に分割される。各サブフレームは、２ｍｓの継続時間を有し、３つのスロットを包含する。各スロットは、０．６６７ｍｓの継続時間を有し、３．８４Ｍｃｐｓで２５６０チップを包含し、すなわちＴｓｌｏｔ＝２５６０チップである。
【００２６】
ダウンリンクでは、Ｐ−ＣＣＰＣＨがパイロットおよびＳＦＮを搬送する。Ｐ−ＣＣＰＣＨは、ダウンリンク物理チャネルのタイミング基準として直接的に使用され、またアップリンク物理チャネルのタイミング基準として間接的に使用される。ＨＳ−ＳＣＣＨのサブフレームは、Ｐ−ＣＣＰＣＨと時間的に整合される。ＨＳ−ＰＤＳＣＨのサブフレームは、ＨＳ−ＳＣＣＨのサブフレームからτＨＳ−ＰＤＳＣＨ＝２Ｔｓｌｏｔだけ遅れる。Ｅ−ＨＩＣＨのサブフレームは、ＨＳ−ＳＣＣＨのサブフレームからτＥ−ＨＩＣＨ，ｎだけ遅れ、ここでτＥ−ＨＩＣＨ，ｎは３ＧＰＰ  ＴＳ  ２５．２１１で定められている。
【００２７】
Ｅ−ＡＧＣＨは、Ｐ−ＣＣＰＣＨの開始から２スロットだけ遅れる。絶対グラントは、Ｅ−ＤＣＨが１０ｍｓの伝送時間間隔（ＴＴＩ）を有するときは１つのフレーム中に送信されることがあり、Ｅ−ＤＣＨが２ｍｓのＴＴＩを有するときは１つのサブフレーム中に送信されることがある。サービングＥ−ＲＧＣＨは、Ｐ−ＣＣＰＣＨの開始からτＥ−ＲＧＣＨ，ｎだけ遅れ、サービング相対グラントは、Ｅ−ＤＣＨが１０ｍｓのＴＴＩを有するときは８ｍｓのフレーム中に送信され、またはＥ−ＤＣＨが２ｍｓのＴＴＩを有するときは１つのサブフレーム中に送信されることがある。非サービングＥ−ＲＧＣＨは、Ｐ−ＣＣＰＣＨの開始から２スロットだけ遅れ、非サービング相対グラントは、１つのフレーム中に送信されることがある。
【００２８】
アップリンクでは、ＨＳ−ＤＰＣＣＨのサブフレームは、ＵＥにおいてＨＳ−ＰＤＳＣＨのサブフレームから７．５スロットだけ遅れ、ここで図３のτＰＤは、ノードＢからＵＥまでの伝搬遅延を示している。アップリンクＤＰＣＣＨ、Ｅ−ＤＰＣＣＨおよびＥ−ＤＰＤＣＨは、時間的に整合され、これらのフレームタイミングは、ＨＳ−ＤＰＣＣＨのフレームタイミングからｍ×２５６チップずれている。ダウンリンクおよびアップリンクの物理チャネルのフレームタイミングは、３ＧＰＰ  ＴＳ  ２５．２１１に記載されている。
【００２９】
ＨＳＤＰＡおよびＨＳＵＰＡが定められたとき、焦点はシステムパフォーマンスであり、主要なメトリックは、最大バッファのトラヒックについての（ダウンリンクおよびアップリンクの）セクタスループットであった。この元の焦点の一例は、ＵＥが、例えばＨＳＵＰＡのＥ−ＡＧＣＨおよびＥ−ＲＧＣＨならびにＨＳＤＰＡのＨＳ−ＳＣＣＨなど、ダウンリンクで伝送される制御チャネルを継続的に監視するよう求められているということである。この継続的な監視は、ＵＥの電池残量を著しく消耗することがある。この制約は、公に入手可能である、２００７年３月、「Continuous Connectivity for Packet Data Users」という名称の３ＧＰＰ  ＴＲ  ２５．９０３に記載された、継続的パケット接続（ＣＰＣ）の作業項目の中で、および間欠受信（ＤＲＸ）の機能を用いて、部分的に取り組まれている。しかし、３ＧＰＰ  ＴＲ  ２５．９０３は主として、ＨＳ−ＳＣＣＨおよびＣＰＩＣＨの監視に焦点を合わせている。
【００３０】
ＨＳＵＰＡのグラントチャネル（Ｅ−ＡＧＣＨおよびＥ−ＲＧＣＨ）の監視要求は、送信されるデータおよびシグナリングのスケジューリング特性に基づいて緩和することがある。ＵＭＴＳでは、ＭＡＣ−ｄフローは、（ｉ）例えばフローに対する無線リソースのグラントによってスケジュールされると送信されることがあるスケジュールされるフローか、（ｉｉ）無線リソースのグラントを要求することなく送信されることがあるスケジュールされないフローのいずれかとすることがある。一般に、ＵＥのアップリンクは、スケジュールされるＭＡＣ−ｄフローおよび／またはスケジュールされないＭＡＣ−ｄフローを含むことがある。ＨＳＵＰＡでは、スケジュールされるＭＡＣ−ｄフローは、グラントチャネルによって制御されるが、スケジュールされないＭＡＣ−ｄフローは、グラントチャネルによって制御されない。
【００３１】
電池残量を節約するためにグラントチャネルをスマートに監視する技術について、本明細書に記載する。この技術は、グラントチャネルを監視すべきかどうかを判断するためのいくつかの基準を提供する。ＵＥがグラントチャネルの監視をやめさせることの危険性は、グラントを見落とすことである。したがってＵＥは、これらのグラントチャネルがＵＥの動作に影響を与える可能性があるときは、これらのグラントチャネルを監視すべきである。
【００３２】
第１のチャネル監視方法では、ＵＥは次のルールに従ってグラントチャネルを監視することができる。
【００３３】
１．ＵＥのアップリンクが少なくとも１つのスケジュールされるＭＡＣ−ｄフローを含む場合、ＵＥはグラントチャネルを継続的に監視する。
【００３４】
２．アップリンクがスケジュールされないＭＡＣ−ｄフローのみを含む場合、ＵＥはグラントチャネルの監視をやめることができる。
【００３５】
第１の方法の適用性は、アップリンクが、スケジュールされないＭＡＣ−ｄフローのみを含む可能性によって決まる場合がある。単純なリアルタイムサービス（例えばＶｏＩＰ）は、通常以下の３つのＭＡＣ−ｄフローを含む。
【００３６】
・シグナリング無線ベアラを伝送する１つのスケジュールされないＭＡＣ−ｄフロー、・リアルタイム伝送プロトコル（ＲＴＰ）ペイロード、例えばＶｏＩＰトラヒックなどを伝送する１つのスケジュールされないＭＡＣ−ｄフロー、および、
・セッション開始プロトコル／ＲＴＰ制御プロトコル（ＳＩＰ／ＲＴＣＰ）シグナリングを伝送する１つのスケジュールされるまたはスケジュールされないＭＡＣ−ｄフロー
ＳＩＰ／ＲＴＣＰシグナリングを伝送するＭＡＣ−ｄフローは、非常に低い活動レベル、例えばＶｏＩＰ呼の開始と終了時の単なるハンドシェイクなどを有する場合がある。このＭＡＣ−ｄフローが、スケジュールされないＭＡＣ−ｄフローとして構成される場合、このとき呼のセットアップ中にグラントチャネルが構成される必要はなく、ＵＥはこれらのグラントチャネルを監視する必要がない。しかし、ＳＩＰ／ＲＴＣＰシグナリングのＭＡＣ−ｄフローが、スケジュールされるＭＡＣ−ｄフローとして構成される場合は、グラントチャネルが構成されることになり、たとえこの時間の大部分の間、グラントチャネルがＵＥへのシグナリングを搬送しないことがあり、ゆえにＵＥに影響を与えないとしても、ＵＥはこれらのグラントチャネルを継続的に監視する必要がある。
【００３７】
さらに、より豊富なサービスが構成される（例えばＶｏＩＰとゲーム）場合は、少なくとも１つのスケジュールされるＭＡＣ−ｄフローが構成される可能性がある。例えば、スケジュールされないＭＡＣ−ｄフローを要求するリアルタイムサービスは、通常例えばＳＩＰシグナリング用などのスケジュールされるフローを含むことになる。したがって、ＵＥは、たとえグラントチャネルが滅多に使用されないことがあってもこれらのグラントチャネルを常に監視するよう強いられることがある。結果として、少なくとも１つのスケジュールされるＭＡＣ−ｄフローが構成される場合、ＵＥがグラントチャネルを継続的に監視することを要求するルールにより、たとえスケジュールされるＭＡＣ−ｄフローが低い活動レベルを有するときでも、ＵＥは、多くの場合グラントチャネルを監視することを強いられることがある。結果として、ＵＥは、スケジュールされないＭＡＣ−ｄフローのみが構成される呼を除いて過度の電池残量を消費することがある。
【００３８】
ＵＥは、アップリンクで伝送するデータを有するとき、Ｅ−ＤＰＤＣＨでいかなる時間においてもスケジューリング情報（ＳＩ）を送信することがある。スケジューリング情報は、次のものを含むことがある。
【００３９】
・全Ｅ−ＤＣＨのバッファ状態（ＴＥＢＳ）−すべての論理チャネルにわたって利用可能であるデータの総量およびＲＬＣレイヤで伝送可能であるデータ量を示す、
・最高優先度の論理チャネルのＩＤ（ＨＬＩＤ）−利用可能なデータを用いて最高優先度の論理チャネルを示す、
・最高優先度の論理チャネルのバッファステータス（ＨＬＢＳ）−ＨＬＩＤによって示される論理チャネルから利用可能なデータの量を示す、および
・ＵＥの電力ヘッドルーム（ＵＰＨ）−ＵＥの最大送信電力と対応するＤＰＣＣＨの符号電力の比を示す。
【００４０】
スケジューリング情報は、前述の３ＧＰＰ  ＴＳ  ２５．３２１に詳細に記載されている。サービングセルが、ＵＥからスケジューリング情報を受信し、ＵＥにＥ−ＤＰＤＣＨのリソースのグラントを送信することがある。ＵＥは、サービングセルから見込まれるグラントを検出するために、スケジューリング情報を送信するとグラントチャネルを監視することがある。
【００４１】
ＵＥは、スケジューリング情報の送信に応じて絶対グラントを受信することがあり、または、呼のセットアップ中に絶対グラントを受信することがある。絶対グラントは、サービングセルによって取り消されるか、サービングおよび／または非サービングセルによって変更されるまで、不定の期間の間有効である。したがって、ＵＥが未処理のグラントを有する間、ＵＥは、現在のグラントに見込まれる変更を検出するために、サービングおよび非サービングセルのグラントチャネルを監視することがある。
【００４２】
第２のチャネル監視方法では、ＵＥは次のルールに従ってグラントチャネルを監視することがある。
【００４３】
１．ＵＥがゼロでない量の送信データを有することを示すスケジューリング情報、すなわちＴＥＢＳ＞０を送信するとすぐに、ＵＥはサービングセルのグラントチャネルの監視を開始する、
２．ＵＥは、ゼロでない未処理のグラントを有する間、サービングＲＬＳ内のセルのグラントチャネルを監視する、および、
３．ＵＥは、ＵＥのグラントがゼロになる場合、およびＵＥがアップリンクで送信する待ち状態のデータがない場合、サービングＲＬＳ内のセルのグラントチャネルの監視をやめることがある。
【００４４】
第２の方法については、ＵＥは、次の基準のいずれかに基づいてグラントチャネルを監視することがある。（ｉ）ＵＥが、スケジューリング情報を送信した後に、グラントを求める、（ｉｉ）ＵＥが、変更される可能性のある未処理のグラントを有する、または（ｉｉｉ）ＵＥが、何らかの理由でグラントを受信することを求める。
【００４５】
ＵＥは、呼のセットアップ中にまたはＵＥによって送信されたスケジューリング情報に応じて受信されることが可能である未処理のグラントを有することがある。このグラントは、ＵＥがグラントチャネルを継続的に監視するよう強いることがある。ＵＥに送信するデータがない、および／またはグラントチャネルを監視し続けたくない場合、このときＵＥは送信するデータがないことを示すスケジューリング情報を送信することがある。サービングセルは、その後グラントを取り消すことがあり、ＵＥは、グラントチャネルの監視をやめることがある。
【００４６】
図４は、ＨＳＵＰＡを用い、第２の方法の監視技術を使用したアップリンクでの例示的な伝送を示している。最初は、ＵＥにはＥ−ＤＰＤＣＨのグラントがなく、グラントチャネルを監視しない。時間Ｔ１において、ＵＥはアップリンクで送信するデータを有し、Ｅ−ＤＰＤＣＨでＴＥＢＳ＞０としてスケジューリング情報を送信し、ＵＥが送信するデータを有することを示す。時間Ｔ１またはＴ２以降は、ＵＥはサービングセルのグラントチャネルを監視する。時間Ｔ３において、サービングセルが、Ｅ−ＡＧＣＨでＵＥに絶対グラントを送信する。時間Ｔ４において、ＵＥは絶対グラントを受信し、非サービングセルのグラントチャネルの監視を開始する。時間Ｔ５において、グラントが有効になり、ＵＥはグラントに従ってＥ−ＤＰＤＣＨでデータを送信することがある。時間Ｔ６において、ＵＥはサービングセルまたは非サービングセルから相対グラントを受信し、それに応じて時間Ｔ７においてＥ−ＤＰＤＣＨでその伝送を修正する。
【００４７】
時間Ｔ８において、ＵＥは、アップリンクで送信するそれ以上のデータがなくなり、ＵＥに送信するデータがないことを示すために、ＴＥＢＳ＝０としてスケジューリング情報を送信する。時間Ｔ９において、サービングセルは、Ｅ−ＡＧＣＨでＵＥにゼロの絶対グラントを送信する。時間Ｔ１０において、ＵＥは、ゼロの絶対グラントを受信し、グラントチャネルの監視をやめることがある。
【００４８】
ＵＥは、間欠受信（ＤＲＸ）および／または間欠伝送（ＤＴＸ）で動作することがある。ＤＲＸについては、ＵＥは、ノードＢがＵＥにダウンリンク伝送を行うことができる一定の使用可能なダウンリンクのサブフレームを有することがある。使用可能なダウンリンクのサブフレームは、受信フレームと呼ばれることもあり、ＨＳ−ＳＣＣＨの受信パターンによって判断されることもある。ＤＴＸについては、ＵＥは、ＵＥがノードＢにアップリンク伝送を行うことができる特定の使用可能なアップリンクのサブフレームを有することがある。使用可能なアップリンクのサブフレームは、アップリンクのＤＰＣＣＨのバーストパターンによって判断されることがある。ＵＥは、使用可能なアップリンクのサブフレームでシグナリングおよび／またはデータを送信することができ、使用可能なダウンリンクのサブフレームでシグナリングおよび／またはデータを受信することがある。ＵＥは、電池残量を節約して使用するために、使用可能でないサブフレームの間は電源を落とすことがある。
【００４９】
図３は、ＵＥについてのＤＴＸおよびＤＲＸの例示的な構成を示している。この例では、ＨＳ−ＳＣＣＨの受信パターンは、ＵＥ＿ＤＲＸ＿ｃｙｃｌｅ＝４サブフレームで定められる。したがって使用可能なダウンリンクのサブフレームは、４サブフレームだけ離間しており、灰色の陰影で示している。アップリンクＤＰＣＣＨのバーストパターンは、ＵＥ＿ＤＴＸ＿ｃｙｃｌｅ＿１＝４で定義される。したがって使用可能なアップリンクのサブフレームもまた、４サブフレームだけ離間しており、灰色の陰影で示している。使用可能なダウンリンクおよびアップリンクのサブフレームは、サービングセルからのＤＴＸパターンおよびＤＲＸパターンによって判断されることがある。使用可能なダウンリンクおよびアップリンクのサブフレームは、ライズオーバーサーマル（ＲＯＴ）を低減させるため、ＵＥの可能なスリープ時間を拡大するために時間で整合されることがある。
【００５０】
ＵＥは、サービングＲＬＳにあるセルからのＥ−ＡＧＣＨおよびＥ−ＲＧＣＨを監視することがあり、またサービングＲＬＳにないセルからのＥ−ＲＧＣＨを監視することがある。理想的には、ＵＥのすべての絶対グラントおよび相対グラントが、ＵＥに使用可能なダウンリンクのサブフレーム中に送信され、ＵＥが覚醒状態であるときにＵＥがこれらのグラントのすべてを受信することができるようにすべきである。しかし、いくつかの理由で、ＵＥの相対グラントがＵＥの使用可能なダウンリンクのサブフレームの中に入るように調整することは困難であることがある。第１に、非サービング相対グラントの伝送は、ネットワークの全域で調整されないことがある。したがって、ＵＥ＿ＤＲＸ＿ｃｙｃｌｅを制御するサービングセルは、非サービング相対グラントがＵＥの使用可能なダウンリンクのサブフレームの中に入ることを保証することができない。第２に、所与のセルは、そのセルによってサービスされないすべてのＵＥに、例えば干渉制御の形態として、単一の相対グラントを送信されることがある。これは、ＵＥのすべての相対グラントがその使用可能なダウンリンクのサブフレームの中に入るようにすることをさらに困難にすることがある。第３に、非サービング相対グラントは、図３に示すように、ＵＥのＥＤＣＨのＴＴＩにかかわらず、１つの１０ｍｓのフレーム中に送信される。
【００５１】
ＵＥが非サービングＥ−ＲＧＣＨを監視しなければならない場合、またＵＥが図３に示すようにＵＥ＿ＤＲＸ＿ｃｙｃｌｅ＝４を有する場合、このときＤＲＸは、事実上ＵＥに無効にされる。これは、相対グラントが非サービングＥ−ＲＧＣＨで、ＵＥ＿ＤＲＸ＿ｃｙｃｌｅより長い１つのフレーム中に送信されるからである。ＵＥが非サービングＥ−ＲＧＣＨを監視しないようにされる場合、このときＵＥは、この例では時間のおよそ２６％をＤＲＸすることができる。
【００５２】
非サービングＥ−ＲＧＣＨがネットワークの全域で調整されることが可能であると想定するのは、非現実的であることがある。したがって、ＵＥが割り当てられたすべての非サービングＥ−ＲＧＣＨを監視する必要がある場合、また非サービングＥ−ＲＧＣＨがネットワークの全域で調整されない場合、このときＵＥは、次の条件のいずれか１つに基づいてＤＲＸすることが可能である。
【００５３】
１．ＵＥが、非サービングＥ−ＲＧＣＨを割り当てられていない、および
２．非サービングＥ−ＲＧＣＨ上の相対グラントがＵＥの現在のグラントに影響を与えることが可能でない場合、ＵＥが非サービングＥ−ＲＧＣＨの監視をやめることがある。
【００５４】
条件１は、適当ではない可能性がある。条件２は、例えばＵＥが最小のグラントを有する場合、当てはまることがある。この場合、非サービングＥ−ＲＧＣＨからのダウン相対グラントは、ＵＥの現在のグラントを変更することはなく、これは非サービングＥ−ＲＧＣＨを無視することと同じである。しかし、グラントは消えず、ネットワークはグラントをキャンセルしない可能性が大きいため、条件２もまた、好ましくないことがある。したがって、ＵＥは、割り当てられた非サービングＥ−ＲＧＣＨを常に監視するよう強いられることがある。
【００５５】
ＵＥは、一定のシナリオの下で、非サービングＥ−ＲＧＣＨの監視を省略することができることがある。非サービングＥ−ＲＧＣＨ上の相対グラントは、主にアップリンクの干渉制御に使用される。ＵＥは、非アクティブである間はアップリンクの干渉を引き起こさない。したがって、非サービングＥ−ＲＧＣＨ上の相対グラントは、一般にＵＥが非アクティブである間はＵＥに向けられず、ＵＥは、これらの相対グラントを安全に無視することがある。
【００５６】
第３のチャネル監視方法では、ＵＥは次のルールに従ってグラントチャネル（例えばＥ−ＡＧＣＨおよびＥ−ＲＧＣＨ）を監視することができる。
【００５７】
１．ＵＥは、そのスケジュールされた伝送のバッファがゼロ以外、すなわちＴＥＢＳ＞０である場合、グラントチャネルを監視する、および
２．ＵＥは、そのスケジュールされた伝送のバッファが空である、すなわちＴＥＢＳ＝０である場合、グラントチャネルの監視をやめることがある。
【００５８】
ルール１は、ＤＲＸを用いてまたはＤＲＸを用いずに、適用できることがある。ＤＲＸ機能が使用可能であるとき、ＵＥは、使用可能なダウンリンクのサブフレームの間、サービングおよび非サービングセルのグラントチャネルを監視することがある。ＤＲＸ機能が使用可能であるとき、ＵＥは、使用可能でないダウンリンクのサブフレームの間、非サービングＥ−ＲＧＣＨを無視することがある。
【００５９】
物理レイヤは、ＭＡＣレイヤによってトリガされるイベントに基づいてグラントチャネルの監視を行うことがある。ＭＡＣレイヤと物理レイヤとの間のいくつかの通信は、グラントチャネルの監視をサポートするために使用することがある。１つの設計では、ＭＡＣレイヤの３ＧＰＰ  ２５．３２１のセクション１１．８．１は、次のように変更することができる。
【００６０】
１１．８．１ｘ  絶対および相対グラントチャネルを監視すること
ＤＲＸ機能が高位レイヤによって使用可能であるときは、Ｅ−ＡＧＣＨセットおよびＥ−ＲＧＣＨセットのダウンリンク受信が、次の条件で要求される。
【００６１】
・スケジュールされた伝送、ＴＥＢＳ＞０で、少なくとも１つのＭＡＣ−ｄフローが構成される。
【００６２】
上述のルールの必然の結果として、Ｅ−ＡＧＣＨセットおよびＥ−ＲＧＣＨセットのダウンリンク受信は、次の条件では要求されない。
【００６３】
・すべてのＭＡＣ−ｄフローが、スケジュールされない伝送、すなわちＴＥＢＳ＝０で構成されている。
【００６４】
ＤＲＸが可能であるとき、ＵＥは、ＨＳ−ＳＣＣＨの受信パターンによって示される受信サブフレームの間、Ｅ−ＡＧＣＨおよびＥ−ＲＧＣＨを監視することがあり、他のサブフレームの間はスリープ状態になることがある。
【００６５】
一般にＵＥは、いかなるルールセットに基づいてもグラントチャネルを監視することがある。例えばＵＥは、第３の方法のルール１（ＴＥＢＳ＞０、かつ少なくとも１つのスケジュールされたフローがあるとき、グラントチャネルを監視する）、また第２の方法のルール２（ＵＥがゼロでない未処理のグラントを有する間はグラントチャネルを監視する）に基づいて、グラントチャネルを監視することがある。またＵＥは、例えばＥ−ＤＰＤＣＨで送信されるアップリンクのデータ伝送に対するＡＣＫ／ＮＡＫフィードバックを受信するためにＥ−ＨＩＣＨなど別のダウンリンクのチャネルを処理している間、グラントチャネルを監視することがある。
【００６６】
様々な方法について上述した監視ルールは、セルのスケジューラの動作を過度に制限せずにＵＥが電池を著しく節約できるようにすることがある。他のルールは、ＵＥがグラントチャネルを監視する必要があるときについて、定められることもある。また他のルールは、ＵＥがグラントチャネルの監視をやめられるようにするときについて、定められることもある。
【００６７】
図５は、グラントチャネルを監視する処理５００の設計を示している。ＵＥは、監視条件が満たされるかどうかを判断することがある（ブロック５１２）。監視条件が満たされる場合、ＵＥは、無線リソースのグラントを求めて少なくとも１つのグラントチャネルを監視することがある（ブロック５１４）。監視条件が満たされない場合、ＵＥは、少なくとも１つのグラントチャネルの監視をやめることがある（ブロック５１６）。少なくとも１つのグラントチャネルは、ＵＭＴＳではＥ−ＡＧＣＨおよびＥ−ＲＧＣＨを、他の無線ネットワークでは何らかの他のグラントチャネルを備えることがある。
【００６８】
ＵＥは、（ｉ）アップリンクで送信されるデータがあることを示すスケジューリング情報を送信した後、（ｉｉ）アップリンクの未処理の無線リソースのグラントがある場合、（ｉｉｉ）無線リソースのグラントが求められる場合、（ｉｖ）少なくとも１つのスケジュールされたフローがあってこの少なくとも１つのスケジュールされたフローのデータバッファが空ではない場合、（ｖ）未処理の無線リソースのグラントがあって、この未処理の無線リソースのグラントを使用してデータ伝送が行われた場合、および／または（ｖｉ）少なくとも１つの他の監視すべき制御チャネルがある場合、監視条件が満たされると判断することがあり、少なくとも１つのグラントチャネルを監視することがある。ＵＥはまた、他の基準に基づいて監視条件が満たされると判断することもある。
【００６９】
ＵＥは、（ｉ）未処理の無線リソースのグラントがないとき、（ｉｉ）未処理の無線リソースのグラントがない場合および送信するデータがない場合、および／または（ｉｉｉ）スケジュールされたフローがない場合またはスケジュールされたフローについて送信するデータがない場合、監視条件が満たされないと判断することがあり、この少なくとも１つのグラントチャネルの監視をやめることがある。ＵＥはまた、他の基準に基づいて監視条件が満たされないと判断することもある。
【００７０】
ＵＥは、監視条件が満たされる間、この少なくとも１つのグラントチャネルを継続的に監視することがある。またＵＥは、監視条件が満たされてＤＲＸが可能である場合、指定された時間間隔の間、この少なくとも１つのグラントチャネルを監視することもある。ＵＥは、監視条件が満たされ、未処理の無線リソースのグラントがない場合、サービングセルのこの少なくとも１つのグラントチャネルを監視することがある。ＵＥは、監視条件が満たされる場合、サービングＲＬＳにある少なくとも１つのセルおよび場合によりサービングＲＬＳにない複数のセルの、少なくとも１つのグラントチャネルを監視することがある。
【００７１】
図６は、グラントチャネルを監視する処理６００の設計を示している。ＵＥは、ＤＲＸが可能であると判断することがある（ブロック６１２）。ＤＲＸが可能であるとき、ＵＥは、少なくとも１つのＭＡＣ−ｄがスケジュールされた伝送で構成され、ＴＥＢＳがゼロより大きい場合、Ｅ−ＡＧＣＨおよびＥ−ＲＧＣＨのダウンリンク受信を実行することができる（ブロック６１４）。ＤＲＸが可能であるとき、ＵＥは、未処理の無線リソースのグラントがあり、無線リソースのこの未処理のグラントを使用してデータ伝送が行われた場合、Ｅ−ＡＧＣＨおよびＥ−ＲＧＣＨのダウンリンク受信を実行することがある（ブロック６１６）。ＤＲＸが可能であるとき、ＵＥは、少なくとも１つの他の監視する制御チャネルがあると、Ｅ−ＡＧＣＨおよびＥ−ＲＧＣＨのダウンリンク受信を実行することがある（ブロック６１８）。ＤＲＸが可能であるとき、ＵＥは、ＨＳ−ＳＣＣＨの受信パターンによって示される受信サブフレームの間、Ｅ−ＡＧＣＨおよびＥ−ＲＧＣＨのダウンリンク受信を実行することがある。
【００７２】
図７は、ＵＥ１２０の設計のブロック図を示している。アップリンクでは符号器７１２は、ＵＥ１２０によってアップリンクで送信されるデータおよびシグナリングを受信することがある。符号器７１２は、データおよびシグナリングを処理する（例えばフォーマットする、符号化する、およびインタリーブする）ことがある。変調器（Ｍｏｄ）７１４は、この符号化されたデータおよびシグナリングをさらに処理し（例えば変調する、チャネル化する、およびスクランブルをかける）、出力チップを提供することがある。送信機（ＴＭＴＲ）７２２は、出力チップを調整し（例えばアナログに変換する、フィルタをかける、増幅する、および周波数をアップコンバートする）、アップリンク信号を生成し、この信号はアンテナ７２４を介してノードＢに送信されることがある。
【００７３】
ダウンリンクでは、アンテナ７２４は、ノードＢ１１０および他のノードＢによって送信されたダウンリンク信号を受信することがある。受信機（ＲＣＶＲ）７２６は、アンテナ７２４から受信した信号を調整し（例えばフィルタをかける、増幅する、周波数をダウンコンバートする、およびデジタル化する）、サンプルを提供することがある。復調器（Ｄｅｍｏｄ）７１６は、サンプルを処理し（例えばスクランブルを解除する、チャネル化する、および復調する）、シンボル推定値を提供することがある。さらに復号器７１８は、シンボル推定値を処理し（例えばディインタリーブする、および復号する）、復号されたデータを提供する。符号器７１２、変調器７１４、復調器７１６および復号器７１８は、モデムプロセッサ７１０に実装されることが可能である。これらの装置は、無線ネットワークで使用される無線技術（例えばＷ−ＣＤＭＡ）により処理を行うことがある。
【００７４】
コントローラ／プロセッサ７３０は、ＵＥ１２０における様々な装置の動作を指示することがある。コントローラ／プロセッサ７３０は、図５の処理５００、図６の処理６００、および／またはグラントチャネルを監視する他の処理を実行することがある。メモリ７３２は、ＵＥ１２０のプログラムコードおよびデータを記憶することがある。
【００７５】
また図７は、図１のノードＢ１１０およびアクセスゲートウェイ１３０のブロック図を示している。ノードＢ１１０は、図１に示すノードＢのいずれかとすることがある。ノードＢ１１０について、送信機／受信機７３８は、ＵＥ１２０と他のＵＥとの無線通信をサポートすることがある。プロセッサ／コントローラ７４０は、ＵＥとの通信のための様々な機能を実行することがある。メモリ（Ｍｅｍ）７４２は、ノードＢ１１０のプログラムコードおよびデータを記憶することがある。通信（Ｃｏｍｍ）装置７４４は、アクセスゲートウェイ１３０との通信をサポートすることがある。アクセスゲートウェイ１３０について、プロセッサ／コントローラ７５０は、ＵＥの通信サービスをサポートする様々な機能を実行することがある。メモリ７５２は、ノードＢ１１０のプログラムコードおよびデータを記憶することがある。通信装置７５４は、ノードＢ１１０との通信をサポートすることがある。
【００７６】
情報および信号は、多種多様な技術および技法を用いて表すことができることを、当業者は理解するであろう。例えば、上記の説明から参照することができるデータ、命令、コマンド、情報、信号、ビット、符号およびチップは、電圧、電流、電磁波、磁気フィールドもしくは粒子、光フィールドもしくは粒子、またはいずれかの組み合わせによって表すことがある。
【００７７】
本明細書の開示と関連して説明した様々な例示的論理ブロック、モジュール、回路、およびアルゴリズムステップは、電子ハードウェア、コンピュータソフトウェアまたは両方の組み合わせとして実装されることがあることを、さらに当業者は理解するであろう。ハードウェアとソフトウェアのこのような互換性をわかりやすく説明するために、様々な例示的構成要素、ブロック、モジュール、回路およびステップは、概してその機能性に関して上記に記載した。このような機能性がハードウェアとして実装されるかまたはソフトウェアとして実装されるかは、システム全体に課された特定のアプリケーションおよび設計の制約によって決まる。当業者は、各特定のアプリケーションについて記載した機能性を様々な方法で実施することがあるが、このような実施の決定は、本開示の範囲からの逸脱をもたらすと解釈されるべきではない。
【００７８】
本明細書の開示と関連して説明する様々な例示的論理ブロック、モジュール、および回路は、汎用プロセッサ、デジタルシグナルプロセッサ（ＤＳＰ）、特定用途用集積回路（ＡＳＩＣ）、フィールドプログラマブルゲートアレイ（field programmable gate array、ＦＰＧＡ）もしくは他のプログラマブルロジックデバイス（programmable logic device）、ディスクリートのゲートもしくはトランジスタロジック、ディスクリートのハードウェア部品、またはこれらの、本明細書に記載した機能を行うように設計されたいかなる組み合わせでも、実装または実行されることがある。汎用プロセッサは、マイクロプロセッサとすることがあるが、代替的にプロセッサは、いかなる従来のプロセッサ、コントローラ、マイクロプロセッサ、または状態機械とすることもある。プロセッサは、例えばＤＳＰとマイクロプロセッサの組み合わせ、複数のマイクロプロセッサ、ＤＳＰコアと連結した１つまたは複数のマイクロプロセッサ、またはその他のこのような構成など、コンピューティングデバイスの組み合わせとして実装されることもある。
【００７９】
本明細書の開示と関連して記載した方法またはアルゴリズムのステップは、直接ハードウェアで、プロセッサで実行されるソフトウェアモジュールで、またはこの２つの組み合わせで、具現化されることがある。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、または当技術分野で知られているその他の形態の記憶媒体に、備わっていることがある。例示的な記憶媒体は、プロセッサがこの記憶媒体から情報を読み取る、およびこの記憶媒体に情報を書き込むことができるように、プロセッサに結合されている。代替的には記憶媒体は、プロセッサと一体化されていることがある。プロセッサおよび記憶媒体は、ＡＳＩＣに備わっている場合がある。ＡＳＩＣは、ユーザ端末に備わっている場合がある。代替的にはプロセッサおよび記憶媒体は、ユーザ端末にディスクリート部品として備わっていることがある。
【００８０】
１つまたは複数の例示的実施形態では、記載した機能は、ハードウェア、ソフトウェア、ファームウェア、またはこれらのいかなる組み合わせにも実装されることがある。ソフトウェアに実装される場合、機能は、コンピュータ可読媒体に１つまたは複数の命令またはコードとして記憶されることがあり、または伝送されることがある。コンピュータ可読媒体は、コンピュータプログラムを一方の場所からもう一方の場所へ転送しやすくするいかなる媒体をも含み、コンピュータ記憶媒体と通信媒体とを共に含む。記憶媒体は、汎用のまたは特殊用途用のコンピュータによってアクセスされることが可能であるいかなる入手可能な媒体とすることがある。限定ではなく一例として、このようなコンピュータ可読媒体は、ＲＡＭ、ＲＯＭ、ＥＥＰＲＯＭ、ＣＤ−ＲＯＭもしくは他の光ディスク記憶装置、磁気ディスク記憶装置もしくは他の磁気記憶装置、または所望のプログラムコード手段を命令もしくはデータ構造の形態で搬送もしくは記憶するために使用することができ、汎用のもしくは特殊用途用のコンピュータ、または汎用のもしくは特殊用途用のプロセッサでアクセスすることができる他の媒体を含むことができる。また、いかなる接続も、厳密にコンピュータ可読媒体と呼ばれる。例えば、ソフトウェアが、同軸ケーブル、光ファイバケーブル、ツイストペア、デジタル加入者線（ＤＳＬ）、または赤外線、ラジオ波、およびマイクロ波などの無線技術を使用して、ウェブサイト、サーバ、または他のリモートソースから送信される場合、この同軸ケーブル、光ファイバケーブル、ツイストペア、ＤＳＬ、または赤外線、ラジオ波、およびマイクロ波などの無線技術が、媒体の定義に含まれる。本明細書で使用するディスク（diskおよびdisc）は、コンパクトディスク（ＣＤ）、レーザーディスク（登録商標）、光学ディスク、デジタルバーサタイルディスク（ＤＶＤ）、フロッピー（登録商標）ディスク、およびブルーレイディスクを含み、ディスク（disk）は通常データを磁気的に再生し、ディスク（disc）はレーザーを使用してデータを光学的に再生する。上記のものの組み合わせもまた、コンピュータ可読媒体の範囲内に含まれるものとする。
【００８１】
本開示についての前述の説明は、当業者が本開示を作成または利用することができるように提供する。当業者には本開示への様々な変更が容易に理解されるであろうが、本明細書で明示した包括的な原理は、本開示の範囲から逸脱することなく他の変形形態に適用されるものとする。したがって本開示は、本明細書に記載した実施例および設計に限定されることを目的とせず、本明細書に開示した原理および新規な特徴と一致する最大の範囲を与えられなければならない。
【図１】
2014039290.tif 000004
【図２】
2014039290.tif 000005
【図３】
2014039290.tif 000006
【図４】
2014039290.tif 000007
【図５】
2014039290.tif 000008
【図６】
2014039290.tif 000009
【図７】
2014039290.tif 000010
【手続補正書】
【提出日】平成25年10月17日(2013.10.17)
【手続補正１】
【補正対象書類名】特許請求の範囲
【補正対象項目名】全文
【補正方法】変更
【補正の内容】
【特許請求の範囲】
【請求項１】
監視条件が満たされるかどうかを判断し、前記監視条件が満たされる場合は無線リソースのグラントを求めて少なくとも１つのグラントチャネルを監視し、前記監視条件が満たされない場合は前記少なくとも１つのグラントチャネルを監視することをやめる少なくとも１つのプロセッサと、
前記少なくとも１つのプロセッサに結合されたメモリと、
を備える装置。
【手続補正２】
【補正対象書類名】明細書
【補正対象項目名】００８１
【補正方法】変更
【補正の内容】
【００８１】
本開示についての前述の説明は、当業者が本開示を作成または利用することができるように提供する。当業者には本開示への様々な変更が容易に理解されるであろうが、本明細書で明示した包括的な原理は、本開示の範囲から逸脱することなく他の変形形態に適用されるものとする。したがって本開示は、本明細書に記載した実施例および設計に限定されることを目的とせず、本明細書に開示した原理および新規な特徴と一致する最大の範囲を与えられなければならない。
以下に本件出願当初の特許請求の範囲に記載された発明を付記する。
［１］監視条件が満たされるかどうかを判断し、前記監視条件が満たされる場合は無線リソースのグラントを求めて少なくとも１つのグラントチャネルを監視し、前記監視条件が満たされない場合は前記少なくとも１つのグラントチャネルを監視することをやめる少なくとも１つのプロセッサと、
前記少なくとも１つのプロセッサに結合されたメモリと、
を備える装置。
［２］前記少なくとも１つのプロセッサが、送信するデータがあることを示すスケジューリング情報を送信した後に、前記少なくとも１つのグラントチャネルを監視する［１］に記載の装置。
［３］前記少なくとも１つのプロセッサが、未処理の無線リソースのグラントがある場合に、前記少なくとも１つのグラントチャネルを監視する［１］に記載の装置。
［４］前記少なくとも１つのプロセッサが、無線リソースのグラントが求められる場合に、前記少なくとも１つのグラントチャネルを監視する［１］に記載の装置。
［５］前記少なくとも１つのプロセッサが、少なくとも１つのスケジュールされたフローがあって、前記少なくとも１つのスケジュールされたフローのデータバッファが空ではない場合に、前記少なくとも１つのグラントチャネルを監視する［１］に記載の装置。
［６］前記少なくとも１つのプロセッサが、未処理の無線リソースのグラントがあって、前記未処理の無線リソースのグラントを使用してデータ伝送が行われた場合に、前記少なくとも１つのグラントチャネルを監視する［１］に記載の装置。
［７］前記少なくとも１つのプロセッサが、少なくとも１つの他の監視すべき制御チャネルがある場合に、前記少なくとも１つのグラントチャネルを監視する［１］に記載の装置。
［８］前記少なくとも１つのプロセッサが、前記監視条件が満たされている間、前記少なくとも１つのグラントチャネルを継続的に監視する［１］に記載の装置。
［９］前記少なくとも１つのプロセッサが、前記監視条件が満たされて、間欠受信（ＤＲＸ）が可能である場合に、指定された時間間隔の間に前記少なくとも１つのグラントチャネルを監視する［１］に記載の装置。
［１０］前記少なくとも１つのプロセッサが、未処理の無線リソースのグラントがないとき、前記少なくとも１つのグラントチャネルを監視することをやめる［１］に記載の装置。
［１１］前記少なくとも１つのプロセッサが、未処理の無線リソースのグラントがない場合に、および送信するデータがない場合に、前記少なくとも１つのグラントチャネルを監視することをやめる［１］に記載の装置。
［１２］前記少なくとも１つのプロセッサが、スケジュールされたフローがない場合に、またはスケジュールされたフロー用の送信するデータがない場合に、前記少なくとも１つのグラントチャネルを監視することをやめる［１］に記載の装置。
［１３］前記少なくとも１つのプロセッサが、前記監視条件が満たされて、未処理の無線リソースのグラントがない場合に、サービングセルの前記少なくとも１つのグラントチャネルを監視する［１］に記載の装置。
［１４］前記少なくとも１つのプロセッサが、前記監視条件が満たされる場合に、サービング無線リンクセット（ＲＬＳ）にある少なくとも１つのセルの前記少なくとも１つのグラントチャネルを監視する［１］に記載の装置。
［１５］前記少なくとも１つのグラントチャネルが、Ｅ−ＤＣＨ絶対グラントチャネル（Ｅ−ＡＧＣＨ）と、Ｅ−ＤＣＨ相対グラントチャネル（Ｅ−ＲＧＣＨ）とを備える［１］に記載の装置。
［１６］監視条件が満たされるかどうかを判断することと、
前記監視条件が満たされる場合、無線リソースのグラントを求めて少なくとも１つのグラントチャネルを監視することと、
前記監視条件が満たされない場合、前記少なくとも１つのグラントチャネルを監視することをやめることと、
を備える方法。
［１７］前記少なくとも１つのグラントチャネルを前記監視することが、少なくとも１つのスケジュールされたフローがあって、前記少なくとも１つのスケジュールされたフローのデータバッファが空ではない場合に、前記少なくとも１つのグラントチャネルを監視することを備える［１６］に記載の方法。
［１８］前記少なくとも１つのグラントチャネルを前記監視することが、未処理の無線リソースのグラントがあって、前記未処理の無線リソースのグラントを使用してデータ伝送が行われた場合に、前記少なくとも１つのグラントチャネルを監視することを備える［１６］に記載の方法。
［１９］前記少なくとも１つのグラントチャネルを前記監視することが、少なくとも１つの他の監視すべき制御チャネルがある場合に、前記少なくとも１つのグラントチャネルを監視することを備える［１６］に記載の方法。
［２０］前記少なくとも１つのグラントチャネルを前記監視することが、前記監視条件が満たされて、間欠受信（ＤＲＸ）が可能である場合に、指定された時間間隔の間に前記少なくとも１つのグラントチャネルを監視することを備える［１６］に記載の方法。
［２１］監視条件が満たされるかどうかを判断するための手段と、
前記監視条件が満たされる場合、無線リソースのグラントを求めて少なくとも１つのグラントチャネルを監視するための手段と、
前記監視条件が満たされない場合、前記少なくとも１つのグラントチャネルを監視することをやめるための手段と、
を備える装置。
［２２］前記少なくとも１つのグラントチャネルを監視するための前記手段が、少なくとも１つのスケジュールされたフローがあって、前記少なくとも１つのスケジュールされたフローのデータバッファが空ではない場合に、前記少なくとも１つのグラントチャネルを監視するための手段を備える［２１］に記載の装置。
［２３］前記少なくとも１つのグラントチャネルを監視するための前記手段が、未処理の無線リソースのグラントがあって、前記未処理の無線リソースのグラントを使用してデータ伝送が行われた場合に、前記少なくとも１つのグラントチャネルを監視するための手段を備える［２１］に記載の装置。
［２４］前記少なくとも１つのグラントチャネルを監視するための前記手段が、少なくとも１つの他の監視すべき制御チャネルがある場合に、前記少なくとも１つのグラントチャネルを監視するための手段を備える［２１］に記載の装置。
［２５］前記少なくとも１つのグラントチャネルを監視するための前記手段が、前記監視条件が満たされて、間欠受信（ＤＲＸ）が可能である場合に、指定された時間間隔の間に前記少なくとも１つのグラントチャネルを監視するための手段を備える［２１］に記載の装置。
［２６］監視条件が満たされるかどうかをコンピュータに判断させるコードと、
前記監視条件が満たされる場合、前記コンピュータに無線リソースのグラントを求めて少なくとも１つのグラントチャネルを監視させるコードと、
前記監視条件が満たされない場合、前記コンピュータに前記少なくとも１つのグラントチャネルを監視することをやめさせるコードと、
を備えるコンピュータ可読媒体
を備えるコンピュータプログラム製品。
［２７］さらに前記コンピュータ可読媒体が、
少なくとも１つのスケジュールされたフローがあって、前記少なくとも１つのスケジュールされたフローのデータバッファが空ではない場合に、前記コンピュータに前記少なくとも１つのグラントチャネルを監視させるコードを備える［２６］に記載のコンピュータプログラム製品。
［２８］  さらに前記コンピュータ可読媒体が、
未処理の無線リソースのグラントがあって、前記未処理の無線リソースのグラントを使用してデータ伝送が行われた場合に、前記コンピュータに前記少なくとも１つのグラントチャネルを監視させるコードを備える［２６］に記載のコンピュータプログラム製品。
［２９］さらに前記コンピュータ可読媒体が、
少なくとも１つの他の監視すべき制御チャネルがある場合に、前記コンピュータに前記少なくとも１つのグラントチャネルを監視させるコードを備える［２６］に記載のコンピュータプログラム製品。
［３０］前記コンピュータ可読媒体がさらに、
前記監視条件が満たされて、間欠受信（ＤＲＸ）が可能である場合に、前記コンピュータに指定された時間間隔の間に前記少なくとも１つのグラントチャネルを監視させるコードを備える［２６］に記載のコンピュータプログラム製品。
［３１］間欠受信（ＤＲＸ）が可能であることを判断し、ＤＲＸが可能であるとき、少なくとも１つの媒体アクセス制御（ＭＡＣ）−ｄフローがスケジュールされた伝送で構成され、全Ｅ−ＤＣＨのバッファ状態（ＴＥＢＳ）がゼロより大きい場合に、Ｅ−ＤＣＨ絶対グラントチャネル（Ｅ−ＡＧＣＨ）およびＥ−ＤＣＨ相対グラントチャネル（Ｅ−ＲＧＣＨ）のダウンリンク受信を実行する少なくとも１つのプロセッサと、
前記少なくとも１つのプロセッサに結合されたメモリと、
を備える装置。
［３２］ＤＲＸが可能であるとき、前記少なくとも１つのプロセッサが、未処理の無線リソースのグラントがあって、前記未処理の無線リソースのグラントを使用してデータ伝送が行われた場合に、前記Ｅ−ＡＧＣＨおよびＥ−ＲＧＣＨのダウンリンク受信を実行する［３１］に記載の装置。
［３３］ＤＲＸが可能であるとき、前記少なくとも１つのプロセッサが、少なくとも１つの他の監視すべき制御チャネルがあると、前記Ｅ−ＡＧＣＨおよびＥ−ＲＧＣＨのダウンリンク受信を実行する［３１］に記載の装置。
［３４］ＤＲＸが可能であるとき、前記少なくとも１つのプロセッサが、ＨＳ−ＳＣＣＨの受信パターンによって示される受信サブフレームの間に前記Ｅ−ＡＧＣＨおよびＥ−ＲＧＣＨのダウンリンク受信を実行する［３１］に記載の装置。
［３５］間欠受信（ＤＲＸ）が可能であると判断することと、
ＤＲＸが可能であるとき、少なくとも１つの媒体アクセス制御（ＭＡＣ）−ｄフローが、スケジュールされた伝送で構成されて、全Ｅ−ＤＣＨのバッファ状態（ＴＥＢＳ）がゼロより大きい場合に、Ｅ−ＤＣＨ絶対グラントチャネル（Ｅ−ＡＧＣＨ）およびＥ−ＤＣＨ相対グラントチャネル（Ｅ−ＲＧＣＨ）のダウンリンク受信を実行することと、
を備える方法。
［３６］前記ダウンリンク受信を実行することが、未処理の無線リソースのグラントがあって、前記未処理の無線リソースのグラントを使用してデータ伝送が行われた場合に、前記Ｅ−ＡＧＣＨおよびＥ−ＲＧＣＨのダウンリンク受信を実行することを備える［３５］に記載の方法。
［３７］前記ダウンリンク受信を実行することが、少なくとも１つの他の監視すべき制御チャネルがあると、前記Ｅ−ＡＧＣＨおよびＥ−ＲＧＣＨのダウンリンク受信を実行することを備える［３５］に記載の方法。
［３８］前記ダウンリンク受信を実行することが、ＨＳ−ＳＣＣＨの受信パターンによって示される受信サブフレームの間に前記Ｅ−ＡＧＣＨおよびＥ−ＲＧＣＨのダウンリンク受信を実行することを備える［３５］に記載の方法。
【外国語明細書】
2014039290000001.pdf